(57)【要約】【課題】本発明は、ドレンパンの底部下面に把持手段を備えることにより、ドレンパンの保守、点検、清掃等のメンテナンス作業時におけるドレンパンの取付けと取外しを容易化して、作業性の向上化を図れる空気調和装置を提供する。【解決手段】吸込み口１１および吹出し口１２を備え被空調室の高所に取付けられる本体１と、この本体内に収容され駆動にともなって吸込み口から本体内に熱交換空気を吸込んで吹出し口から吹出す熱交換空気導通路Ｒを形成する送風機８と、熱交換空気導通路に位置する熱交換器９および熱交換器の下部に設けられ熱交換器を載置するドレンパン１０とを具備し、上記ドレンパンの底部１０ｅ下面に、ドレンパンを取外し・取付ける際に摘む把持部２６が設けられる。【選択図】      図３
2006343043.tif 000002
【特許請求の範囲】
【請求項１】
吸込み口および吹出し口を備えた本体と、
この本体内に収容され、駆動にともなって上記吸込み口から本体内に熱交換空気を吸込んで上記吹出し口から吹出す熱交換空気導通路を形成する送風機と、上記熱交換空気導通路に位置する熱交換器および、上記熱交換器の下部に設けられ熱交換器を載置するドレンパンとを具備し、
上記ドレンパンは、底部下面に把持手段が設けられることを特徴とする空気調和装置。
【請求項２】
上記ドレンパンは、上記熱交換器を載置する部位を挟んで熱交換空気導通路の風上側に１次側ドレン受け部が設けられ、熱交換空気導通路の風下側に２次側ドレン受け部が設けられ、
上記１次側ドレン受け部の深さ寸法は、上記２次側ドレン受け部の深さ寸法よりも大に設定され、
上記本体は、上記ドレンパンにおける１次側ドレン受け部の風上側端部から先に外して傾斜下側とし、２次側ドレン受け部の風下側端部を傾斜上側とする、ドレンパンを斜め姿勢にした状態で取外し可能とするドレンパン支持構造体を備えることを特徴とする請求項１記載の空気調和装置。
【発明の詳細な説明】
【技術分野】
【０００１】
本発明は、天井裏に取付けられるビルトインタイプであり、たとえばダクトを介して天井板に設けられる吹出し口と連通する室内機である空気調和装置に関する。
【背景技術】
【０００２】
店舗などの広い空間を空調する場合には、空気調和装置の室内機として壁面に取付けられる、いわゆる壁掛け形よりも、天井裏に取付けられるビルトインタイプのものの方が有利である。すなわち、この種の室内機は、天井板に設けられる複数の吹出し口とダクトを介して連通されるので、室内全体に均一に熱交換空気を吹出すことができ、快適空調が得られるとともに、壁掛け形のように居住者が受ける圧迫感がない。  
この種のビルトインタイプ室内機の内部構造は、本体内を仕切り板で２室に仕切り、一方室に送風機が配置され、他方室に熱交換器と、この熱交換器を載置するドレンパンが配置される。送風機の配置室下面には吸込み口が設けられ、熱交換器等の配置室側面には吹出し口が設けられて、いずれもダクトを介して室内の天井板に設けられる開口部に接続される。
【０００３】
冷凍サイクル運転をなすとともに送風機を駆動することにより、吸込み口から吸込まれた室内空気が仕切り板に設けられた連通口を介して熱交換器に導かれ、ここで冷媒と室内空気とが熱交換する。熱交換した空気は吹出し口からダクトを介して室内へ吹出され、室内の空気調和をなす。また、熱交換器における熱交換作用にともなって室内空気に含まれる水分が凝縮され、ドレン水が生成されてドレンパンに滴下する。  
上記ドレンパンに対する清掃、保守、点検のために、所定期間毎にメンテナンス作業が必要である。室内機が天井裏のような室内高所に取付けられているので、ドレンパンをより容易に本体から取外し自在な構造としなければならない。［特許文献１］には、天井板から室内に露出する化粧カバーを兼ねた露受皿を、取付けねじを介して本体に取付け固定する構造の天井埋込型空気調和機が開示されている。
【特許文献１】特開２００１−２４８８５７号公報
【発明の開示】
【発明が解決しようとする課題】
【０００４】
上述の［特許文献１］の技術では、下方から取付けねじを外すことができて、室内高所での作業性が考慮されている。しかしながら、ここでの空気調和機は、ドレンパンと化粧カバーが一体化されている。化粧カバーが板金加工物であるとすると、板金加工が複雑になってコストに影響を与えてしまう。  
たとえ、化粧カバーを合成樹脂材から成形したとしても、ドレンパンとの一体構造物であるので重量が嵩むことは避けられない。作業者は一方の手に工具を持って取付けねじを取外し、その間、他方の手で化粧カバーとドレンパンの一体構造物を押上げて落下を防止しなければならず、作業性が極めて悪いものである。
【０００５】
特に［特許文献１］には記載されていないが、一般的にはドレンパンは単純に平面視で略矩形の皿状に形成されるだけのものであって、ドレン水を集溜する内底部の深さ寸法は全面的に均一寸法となっている。ドレンパンを本体から取外しする際は、ドレンパンの一側端部を本体に残した状態で他側端部を本体から引き下ろし、ドレンパンを一旦、斜め姿勢にしてから、ドレンパン全体を本体から取外しする。  
ドレンパンにはドレンホースが接続されていて、ドレン水を外部に排出するようになっているが、それでもなお一部のドレン水は排出し切れずにドレンパンに残っていることが多い。ドレンパンの本体からの取外しの際は、ドレンパンを斜め姿勢とするところから、残っていたドレン水が傾斜下側に溜り、残量によってはこの端部から溢出する虞れが大である。溢出するドレン水は作業者自身を直撃し、もしくは被空調室の床面や調度品を濡らしてしまう。
【０００６】
本発明は、上記事情に着目してなされたものであり、その目的とするところは、ドレンパンの底部下面に把持手段を備えることにより、ドレンパンの保守、点検、清掃等のメンテナンス作業時におけるドレンパンの取付けと取外しを容易化して、作業性の向上化を図れる空気調和装置を提供しようとするものである。
【課題を解決するための手段】
【０００７】
上記課題を解決し目的を達成するために本発明の空気調和装置は、吸込み口および吹出し口を備えた本体と、この本体内に収容され駆動にともなって吸込み口から本体内に熱交換空気を吸込んで吹出し口から吹出す熱交換空気導通路を形成する送風機と、交換空気導通路に位置する熱交換器および熱交換器の下部に設けられ熱交換器を載置するドレンパンとを具備し、上記ドレンパンは、底部下面に把持手段が設けられる。
【発明の効果】
【０００８】
本発明によれば、ドレンパンの保守、点検、清掃等のメンテナンス作業性の向上化を図れる等の効果を奏する。
【発明を実施するための最良の形態】
【０００９】
以下、本発明の実施の形態を図面にもとづいて説明する。  
図１は本発明の一実施の形態に係るビルトインタイプの空気調和装置における室内機の取付け状態を説明する図、図２は室内機の概略の断面図、図３は室内機の一部を分解して示す斜視図、図４はさらに室内機の一部を分解して示す斜視図、図５はドレンパンの底部下面の斜視図である。  
筐体である本体１は、長手方向Ｘの寸法が、長手方向Ｘとは直交する方向である、幅方向Ｙと比較して短い薄型矩形箱状に成形されていて、各面部全てが、金属薄板を板金加工してなる。  
本体１の両側面には一対ずつの取付け具２が設けられていて、これら取付け具２のそれぞれには天井裏Ｔに設けられる梁材３から垂設される吊持杆４が挿入され、かつ取付け固定される。すなわち本体１は、梁材３と天井板５との間である、天井裏Ｔに設けられることになる。
【００１０】
本体１内の長手方向Ｘにおける略半分の長さ位置には、仕切り板６が本体１の幅方向Ｙに亘って設けられる。本体１内部は仕切り板６によって２室７Ａ，７Ｂに区分されていて、一方室を機械室７Ａと呼び、送風機８が配置される。他方室を熱交換室７Ｂと呼び、熱交換器９およびドレンパン１０が配置される。  
上記機械室７Ａの下面に吸込み口１１が開口され、上記熱交換室７Ｂの側面には吹出し口１２が開口される。上記本体１が天井裏Ｔに取付け固定された状態で、上記吸込み口１１には吸込みダクト１３が接続され、上記吹出し口１２には複数の吹出しダクト１４が接続される。
【００１１】
上記吸込みダクト１３は、天井板５に開口する取付け用口１５に取付けられた化粧グリル１６に接続される。梁材３と天井板５との間の寸法によっては、本体１に設けられる吸込み口１１が直接、天井板５の取付け用口１５に対向する場合がある。このときは、当然、吸込みダクト１３を省略して化粧グリル１６を取付け用口１５に取付ける。  
上記吹出しダクト１４は、普通、天井板５に設けられる図示しない複数の室内吹出し口に連通される。すなわち、本体１から導出される熱交換空気は吹出しダクト１４で分流され、複数の室内吹出し口から一斉に室内へ吹出されて、室内の部位に係わらず均一な空調を行えるようになっている。
【００１２】
上記機械室７Ａに配置される送風機８は、中央部に図示しない二軸のファンモータを備えている。各回転軸には、回転にともなって軸方向から空気を吸込んで周方向へ吹出すタイプのファン（いわゆる多翼型ファン）１７が連結され、さらに各ファン１７はファンケーシング１８で囲撓される。  
上記ファンケーシング１８の仕切り板６側端部に吹出し口体部１８ａが形成され、仕切り板６に開口される連通口１９に吹出し口体部１８ａが接続される。したがって、連通口１９は、送風機８のファン１７を駆動するのにともなって、ファンケーシング１８の吹出し口体部１８ａから吹出される風を直接、上記熱交換室７Ｂ側へ送風案内できる。
【００１３】
上記熱交換室７Ｂに配置される熱交換器９は、両側端部に図示しない端板が配置され、これら端板間に複数枚のアルミフィン９ａが所定の間隙を存して並設され、両端板およびアルミフィン９ａに複数本の伝熱管９ｂが貫通されてなるフィンチューブ型である。この熱交換器９は、ドレンパン１０上に、上下方向が斜めに傾斜した姿勢で載置され、両端板が図示しない固定板を介して本体１に固定される。  
すなわち、本体１が天井裏Ｔに取付けられるので、本体１を可能な限り薄型化する必要から、熱交換器９の上下方向寸法を充分な長さに設定することができない。その一方で、熱交換器９の熱交換面積を可能な限り確保して、熱交換効率の向上を図らなければならない。したがって、熱交換器９を傾斜姿勢とすることで、上下方向寸法を抑えて薄型の本体１内に収容可能となし、かつ充分な熱交換面積を確保できる。
【００１４】
上記熱交換室７Ｂを構成する本体１の内側表面は、アクリロニトリル・ブタジエン・スチレン樹脂（ＡＢＳ樹脂）等の合成樹脂材でコーティングされている。さらに、熱交換室７Ｂの長手方向Ｘに沿う両側板内面は、吹出し口１２側端部から仕切り板６に亘って全面的に断熱材Ｄが貼着される。  
断熱材Ｄの下端面と上記ドレンパン１０の左右側壁部１０ｃ，１０ｄの上端面とは、シール部材Ｓを介して接している。このシール部材Ｓは、ＥＰＤＭ（エチレン・プロピレン・ジエンゴム）等の合成樹脂材からなり、扁平の紐状体をなしていて、ドレンパン１０の底部１０ｅ下面における周縁と中間部および側壁部１０ａ〜１０ｄの周縁等に貼着されている。
【００１５】
上記ドレンパン１０は、たとえば発泡スチロールなどの発泡性合成樹脂材を発泡して得られる略矩形皿状の成型品であって、底部１０ｅ内面はＡＢＳ樹脂等の合成樹脂材でコーティングされている。  
ドレンパン１０の長手方向Ｘと幅方向Ｙの寸法が、熱交換室７Ｂの長手方向Ｘと幅方向Ｙの寸法と略同一に形成されている。後述するように、本体１に備えたドレンパン支持構造体Ｋを介してドレンパン１０を熱交換室７Ｂに取付けた状態で、ドレンパン１０は熱交換室７Ｂの全面に亘って、ほとんど隙間のない状態で嵌め込まれる。  
ドレンパン１０における吹出し口１２側の側壁部１０ａは、断熱材Ｄ下面と、本体１の下面角部を構成するフレーム１ａとにより挟まれて支持される。特に、この側壁部１０ａの外底面隅部ａは斜めに形成されていて、ドレンパン１０の本体１への取付けと取外しが容易になるように構成される。
【００１６】
上記ドレンパン１０の底部１０ｅ内面には、載置部２０と、この載置部２０を挟んだ両側に１次側ドレン受け部２１と２次側ドレン受け部２２が形成される。載置部２０上面に沿って、ある程度の高さ寸法を有する直状の突堤となるクッション材ｄが取付けられ、熱交換器９に対する機械的な負担を軽減した状態で熱交換器９を載置できる。  
上記載置部２０を挟んで後述する熱交換空気導通路Ｒの風上側に上記１次側ドレン受け部２１が設けられ、熱交換空気導通路Ｒの風下側に上記２次側ドレン受け部２２が設けられる。上記熱交換器９は、載置部２０から２次側ドレン受け部２２側に斜めに傾斜していて、下部側の一部が１次側ドレン受け部２１側へ突出している。
【００１７】
上記載置部２０は、幅方向Ｙに沿う側壁部１０ｂと所定間隔を存して並行に設けられ、熱交換器９の下端鈍角部を載置するのに必要最小限の幅に形成される。載置部２０の両側端部は、長手方向Ｘに沿う側壁部１０ｃ，１０ｄと狭小の間隙を存している。  
１次側ドレン受け部２１の深さ寸法は、２次側ドレン受け部２２の深さ寸法よりも深く形成されている。そして、２次側ドレン受け部２２は、載置部２０側が最も深く、載置部２０と長手方向Ｘに対向して設けられる側壁部１０ａに向かって漸次浅くなる傾斜に形成される。
【００１８】
このような２次側ドレン受け部２２における幅方向Ｙの両側部に沿って凸部２５が突設される。凸部２５の両側端部は傾斜面となっていて、載置部２０の両側端部と所定の間隙を存して対向している。この側端部にクッション材ｄが貼着され、クッション材ｄを介して凸部２５の傾斜面に熱交換器９が当接する。  
２次側ドレン受け部２２と１次側ドレン受け部２１の一側部は、凸部２５の側端部と、載置部２０の端部との間に形成される隙間を介して連通しており、この隙間をドレン流通路２７と呼ぶ。上記熱交換器９を載置部２０上に載置した状態で、熱交換器９が凸部２５の側端部上に当接するので、ドレン流通路２７の上方空間が熱交換器９で塞がれてトンネル状となる。
【００１９】
ドレン流通路２７の近傍で、１次側ドレン受け部２１の幅方向Ｙと対向する側壁部１０ｃ，１０ｄに排水口２９が設けられていて、図示しないドレンホースを接続するための接続用口体３０が外方へ突設される。１次側ドレン受け部２１に溜るドレン水は、左右の排水口２９から接続用口体３０とドレンホースを介して排出されるようになっている。  
実際には、本体１を天井裏Ｔの所定の部位に取付けたあと、テストとして１次側ドレン受け部２１に水を落し、ドレンホースを接続する側に水が流れるように本体１の取付け姿勢を調整する。場合によっては、水がより多く流れる側の接続用口体３０にドレンホースを接続し、少ない側の接続用口体３０は栓体で塞ぐ。
【００２０】
ドレンパン１０の底部１０ｅ下面には幅方向Ｙの中間部で、長手方向Ｘに亘って上記シール部材Ｓが貼着される中間桟部ｅが設けられるとともに、側壁部１０ｃから中間桟部ｅを介して他方の側壁部１０ｄ近傍位置まで一対の桟部ｆが、長手方向Ｘに所定間隔を存し並行して設けられる。  
さらにドレンパン１０の底部１０ｅ下面において、中間桟部ｅから幅方向Ｙに所定間隔を存した両側で、かつ並行桟部ｆ相互に亘って、把持手段をなす一対の把手部２６が設けられる。これら把手部２６は、作業者が左右それぞれの手で摘み易い幅寸法と深さ寸法に設定されている。  
把手部２６と中間桟部ｅおよび一対の並行桟部ｆとによって囲まれる底部１０ｅ下面には、「ドレンパンの取外しの際はこの把手をつかんでください」旨の注意書き２８ａと、把手２６を指す矢印２８ｂが記されている。  
なお、上記本体１の下面は、機械室７Ａに設けられる吸込み口１１以外の部分が第１の下面板１Ａによって覆われ、熱交換室７Ｂ全体の下面は第２の下面板１Ｂによって覆われる。これら第１、第２の下面板１Ａ，１Ｂは取付けねじを介して本体１に着脱自在に取付けられる。
【００２１】
第２の下面板１Ｂにおいては熱交換室７Ｂ全体を覆うところから、熱交換室７Ｂに取付けられるドレンパン１０の底部１０ｅ下面を開閉自在に覆うことになる。第２の下面板１Ｂを取外せば、ドレンパン１０の底部１０ｅ下面が露出し、底部１０ｅ下面に設けられる一対の把手部２６が露出する。  
上記ドレンパン支持構造体Ｋは、ドレンパン１０の２次側ドレン受け部２２風下側端部である吹出し口１２側の側壁部１０ａを掛合支持するフレーム１ａと断熱材Ｄ下端面との間の部位と、ドレンパン１０の両側壁部１０ｃ，１０ｄを密に嵌め込む寸法形状の本体１側面部および、ドレンパン１０の１次側ドレン受け部２１風下側端部である仕切り板６側の側壁部１０ｂを密に嵌め込む寸法形状から構成される。
【００２２】
このように構成される空気調和装置の室内機であり、冷凍サイクル運転とともに送風機８が駆動されると、室内空気が化粧グリル１６と吸込み口１１を介して本体１内に吸込まれ、熱交換空気導通路Ｒに沿って導かれる。具体的には、熱交換空気は吸込み口１１から機械室７Ａに吸込まれ、送風機８を構成するファンケーシング１８と、仕切り板６に設けられる連通口１９を介して熱交換室７Ｂに導かれる。  
熱交換空気は、ドレンパン１０に載置されている熱交換器９に向かって吹出され、流通して熱交換器９に導かれる冷媒と熱交換される。熱交換器９と熱交換したあとの熱交換空気は、吹出し口１２に導かれダクト１４を介して室内へ吹出されて、室内の空調作用をなす。
【００２３】
冷房運転時には、熱交換器９の熱交換作用にともなってドレン水が生成され、ドレンパン１０に滴下する。ドレンパン１０に載置される熱交換器９の形態および配置状態から、風量が大きかったりドレン水の発生量が多いと、１次側ドレン受け部２１に滴下するドレン水よりも２次側ドレン受け部２２に滴下するドレン水の量が多くなる。  
２次側ドレン受け部２２に滴下したドレン水は載置部２０方向へ向かって流れ、この載置部２０で一旦、せき止められてから、載置部２０の左右両側端のドレン流通路２７を介して１次側ドレン受け部２１に流入する。１次側ドレン受け部２１に集溜されたドレン水は、排水口２９とドレンホースを介して外部へ排出される。
【００２４】
上記ドレンパン１０の清掃、保守、点検等のメンテナンス作業を行う際は、ドレンパン１０の底部１０ｅ内面が対象となるので、ドレンパン１０を本体１のドレンパン支持構造体Ｋから取外して、床面に置く必要がある。このときは、少なくとも本体１を構成する第２の下面板１Ｂと対向する天井板５部位を取外し、さらに第２の下面板１Ｂを取外してドレンパン１０の底部１０ｅ下面を露出する。  
したがって、ドレンパン１０の底部１０ｅ下面に設けられる両方の把手部２６が露出する。作業者は、左右の把手部２６を持ってドレンパン１０を引き下ろすのだが、上記ドレンパン支持構造体Ｋは、ドレンパン１０を吹出し口１２側端部から先に引き下ろすことと、吹出し口１２側端部と仕切り板６側端部とを平衡した状態で引き下ろすことを規制している。
【００２５】
すなわちドレンパン支持構造体Ｋは、ドレンパン１０の吹出し口１２側端部（側壁部１０ａ）を本体１下角部のフレーム１ａと断熱材Ｄ下端面との間に掛合する一方で、他の側壁部１０ｂ〜１０ｄを熱交換室７Ｂを構成する本体１側面部と仕切り板６間に密に嵌め込んで、本体１にドレンパン１０を支持している。そのため、必然的にドレンパン１０は仕切り板６側端部（側壁部１０ｂ）から先に引き下ろすようになる。  
作業者がドレンパン底部１０ｅに手を伸ばして把手部２６を摘み引き下ろすと、ドレンパン１０は吹出し口１２側端部が傾斜上側で、仕切り板６側端部が傾斜下側の斜め姿勢となる。一旦、ドレンパン１０を上記姿勢にしてから、この状態を保持したままドレンパン１０を引き下ろす。ドレンパン１０の吹出し口１２側端部が傾斜上側になっているので、側壁部１０ａが上記フレーム１ａに衝突するのを避けてドレンパン１０を引き下ろすことが可能である。
【００２６】
また、このとき傾斜下側となる方に１次側ドレン受け部２１が設けられていて、ある程度の量のドレン水が残っている場合がある。しかしながら、１次側ドレン受け部２１は２次側ドレン受け部２２よりも深く形成され、しかもドレンパン１０は１次側ドレン受け部２１を傾斜下側とする斜め姿勢であるので、１次側ドレン受け部２１からドレン水が溢出する虞れがない。  
ドレンパン１０の吹出し口１２側端部（側壁部１０ａ）が本体１のドレンパン支持構造体Ｋから抜け出たら、ドレンパン１０を傾斜姿勢から平衡姿勢に変えて下ろし、床面上に置けばよい。ドレンパン１０を平衡姿勢にすれば、さらに１次側ドレン受け部２１からのドレン水の溢出がない。
【００２７】
ドレンパン１０を床面上に置いて、必要なメンテナンス作業を終えたら、再びドレンパン１０を本体１に組み込む。このときは当然、ドレンパン１０内にドレン水が無いのであるから、本体１の近傍部位に至るまではドレンパン１０をどのような姿勢で持ち上げても何ら支障がない。  
ドレンパン１０が本体１に接触する直前の部位に至ったら、ドレンパン１０の取外し時と同様、吹出し口１２側端部を傾斜上側とし、仕切り板６側端部を傾斜下側とする斜め姿勢となす。そして、ドレンパン１０の吹出し口１２側端部を本体１の熱交換室７Ｂ下面に差し込み、断熱材Ｄとフレーム１ａとの間に挿入し掛合する。
【００２８】
ドレンパン１０の吹出し口１２側端部を本体１に取付けたら、今度は仕切り板６側端部を押上げて、載置部２０を熱交換器９に当接させる。すなわち、熱交換器９がストッパとなって、ドレンパン１０のそれ以上の押上げを規制する。必然的に、ドレンパン１０の各側壁部１０ｂ〜１０ｄはドレンパン支持構造体Ｋに取付け支持される。ドレンパン１０の本体１への取付け時においても、上記把手部２６をもてば極めて作業し易い。  
このように、ドレンパン１０の底部１０ｅ下面に把手部２６を設けたから、本体１が天井裏Ｔのごとき室内高所に取付けられるものでありながら、ドレンパン１０のメンテナンス作業にあたって、ドレンパン１０の取外しと取付けが容易となり作業性の向上化を図れる。
【００２９】
そして、ドレンパン１０の熱交換器載置部２０を挟んで熱交換空気導通路Ｒの風上側に１次側ドレン受け部２１、風下側に２次側ドレン受け部２２を設け、１次側ドレン受け部２１の深さ寸法を２次側ドレン受け部２２の深さ寸法よりも大に設定し、本体１にドレンパン１０の仕切り板６側端部を傾斜下側とする斜め姿勢にした状態で取外し可能としたドレンパン支持構造体Ｋを備えたので、ドレンパン１０の取外しの途中で、ドレンパン１０に残っているドレン水の溢出を防止できる。  
また、本発明は上述した実施の形態そのままに限定されるものではなく、実施段階ではその要旨を逸脱しない範囲で構成要素を変形して具体化できるとともに、上述した実施の形態に開示されている複数の構成要素の適宜な組み合わせにより種々の発明を形成できる。
【図面の簡単な説明】
【００３０】
【図１】本発明の一実施の形態に係る、空気調和装置室内機の取付け状態を説明する図。
【図２】同実施の形態に係る、室内機の概略の断面図。
【図３】同実施の形態に係る、室内機の一部を分解した斜視図。
【図４】同実施の形態に係る、室内機のさらに一部を分解した斜視図。
【図５】同実施の形態に係る、ドレンパンの底部外面の斜視図。
【符号の説明】
【００３１】
１１…吸込み口、１２…吹出し口、１…本体、Ｒ…熱交換空気導通路、８…送風機、９…熱交換器、１０…ドレンパン、２６…把持部（把持手段）、２１…１次側ドレン受け部、２２…２次側ドレン受け部、Ｋ…ドレンパン支持構造体。
【図１】
2006343043.tif 000003
【図２】
2006343043.tif 000004
【図３】
2006343043.tif 000005
【図４】
2006343043.tif 000006
【図５】
2006343043.tif 000007